(57)【要約】【課題】浴室用空調装置において衣類乾燥時間をより短くすることを課題とする。【解決手段】浴室乾燥装置２１は、浴室外から浴室内に空気を送る給気風路２４と、浴室内から浴室外に空気を排気する排気風路２３と、給気風路２４に配置される給気用の第１送風手段としての送風ファン４０及びファンモーター４１と、排気風路２３に配置される排気用の第２送風手段としての送風ファン３６及びファンモーター３７と、送風ファン３６，４０及びファンモータ３７，４１を制御するマイクロコンピュータ４３（送風制御手段）とを備えている。マイクロコンピュータ４３は、乾燥ボタンがオンしてから所定時間経過までダンパ３１で循環風路２５を閉鎖し、排気風路２３の排気風量を増大する排気作用・循環非作用モードを有する。【選択図】  図１
2005164114.tif 000002
【特許請求の範囲】
【請求項１】
浴室内の空気を浴室外に排出する排気機能と、浴室内の空気を再度浴室内に循環させる循環機能とを有し、前記排気機能と前記循環機能を用いて浴室若しくは衣類等の乾燥を行う浴室用空調装置であって、
前記乾燥を行う際に、所定の条件において、前記排気機能のみを動作させることを特徴とする浴室用空調装置。
【請求項２】
浴室外から浴室内に空気を送る給気機能と、浴室内の空気を吸い込んで前記給気と合流させて再度浴室内に循環させる循環機能と、浴室内の空気を浴室外に排出する排気機能とを備えた浴室用空調装置であって、
前記排気機能と前記循環機能を用いて浴室若しくは衣類等の乾燥を行う際に、所定の条件において、前記排気機能を作用状態とすると共に前記循環機能を非作用状態とすることを特徴とする浴室用空調装置。
【請求項３】
浴室外から浴室内に空気を送る給気機能と、浴室内の空気を吸い込んで前記給気と合流させて再度浴室内に循環させる循環機能と、浴室内の空気を浴室外に排出する排気機能とを備えた浴室用空調装置であって、
前記給気機能により浴室外の空気を浴室内に送風する給気用の風路内に空気を暖める加熱手段を設け、
前記排気機能と前記循環機能を用いて浴室若しくは衣類等の乾燥を行う際に、所定の条件において、前記加熱手段の加熱温度を、前記所定の条件が成立していないときの加熱温度より、高めることを特徴とする浴室用空調装置。
【請求項４】
浴室外から浴室内に空気を送る給気機能と、浴室内の空気を吸い込んで前記給気と合流させて再度浴室内に循環させる循環機能と、浴室内の空気を浴室外に排出する排気機能とを備えた浴室用空調装置であって、
前記給気機能により浴室外の空気を浴室内に送風する給気用の風路内に空気を暖める加熱手段を設け、
前記排気機能と前記循環機能を用いて浴室若しくは衣類等の乾燥を行う際に、所定の条件において、前記排気機能を動作させる一方、前記循環機能を非作用状態とし、前記所定の条件以外の時に、前記加熱手段の加熱温度を、前記所定の条件が成立しているときの加熱温度より、高めることを特徴とする浴室用空調装置。
【請求項５】
請求項２乃至請求項４の何れかの浴室用空調装置であって、
前記給気機能による給気風量と前記排気機能による排気風量とを略同量としたことを特徴とする浴室用空調装置。
【請求項６】
請求項２乃至請求項５の何れかの浴室用空調装置であって、
前記循環機能を構成する循環風路に、循環風量を調整可能に該循環風路を開閉する開閉手段を設けたことを特徴とする浴室用空調装置。
【請求項７】
浴室外から浴室内に空気を送る給気機能と、浴室内の空気を吸い込んで前記給気と合流させて再度浴室内に循環させる循環機能と、浴室内の空気を浴室外に排出する排気機能とを備えた浴室用空調装置であって、
前記浴室若しくは衣類等の乾燥を行う際に、前記給気機能による給気風量と前記排気機能による排気風量とを略同量としたことを特徴とする浴室用空調装置。
【請求項８】
浴室外から浴室内に空気を送る給気機能と、浴室内の空気を吸い込んで前記給気と合流させて再度浴室内に循環させる循環機能と、浴室内の空気を浴室外に排出する排気機能とを備えた浴室用空調装置であって、
前記循環機能を構成する循環風路に、循環風量を調整可能に該循環風路を開閉する開閉手段を設けたことを特徴とする浴室用空調装置。
【発明の詳細な説明】
【技術分野】
【０００１】
本発明は、浴室用空調装置に関し、更に詳しくは、衣類の乾燥モードにおける乾燥時間を短縮化可能な浴室用空調装置に関する。
【背景技術】
【０００２】
従来の浴室用空調装置としては、特許第２５４３１２９号の「バス乾燥機」が公知である。
【０００３】
この「バス乾燥機」は、図１０、図１１に示すように、浴室側吸込口２から羽根１３を経て室外側開口部７に至る排気通風路８と、室外側開口部６より羽根１２とヒータ１４を経て浴室側吐出口４に至る給気通風路９とを形成し、前記給気通風路９と前記排気通風路８の交差する部分に熱交換機１０を設け、前記給気通風路９に浴室側リターン空気吸込口３を連通させ、前記給気通風路９の途中に流路をバイパスする連通口１５を設けるとともに、前記給気通風路９及び連通口１５を開閉する一対の開閉ダンパ１６を前記連通口１５近傍に備えた構成とされている。
【０００４】
この特許第２５４３１２９号の「バス乾燥機」は、換気運転時に、図１１に示すように、一対の開閉ダンパ１６で連通口１５を塞ぎ、リターン空気吸込口３から、浴室の空気を浴室外に排気すると共に、熱交換機１０の給気通風路９から空気を浴室内に供給し、ヒーター１４で加熱している。
【０００５】
また、排気運転時には、図１０に示すように、開閉ダンパ１６の一方でヒーター１４側の通路を遮断する一方、開閉ダンパ１６の他方で給気通風路９の羽根１２側の通路を塞いで、普段は浴室内に空気を吸い込むための室外側開口部６と、室外側開口部７の両方を使って、浴室内の空気を浴室外に排気するようになっている。
【特許文献１】特許第２５４３１２９号
【発明の開示】
【発明が解決しようとする課題】
【０００６】
しかしながら、上記の「バス乾燥機」は、換気運転時に衣類を乾燥させるときには、浴室内の空気が浴室側リターン空気吸込口３からの空気と、給気通風路９からの空気との両方が浴室側吐出口４に送られるとともに、ヒーター１４によって浴室内に戻され、浴室内の空気の一部が循環することとなり、乾燥の中期・後期においては有効である。しかしながら、図８に示すように、衣類に多量の水分が含まれていると、高湿度のピークになるまでの乾燥初期の高湿度状態においては、図８の実線に示すように、ピーク部分の時間が長くなり、浴室外に効率よく排出できないこととなり、トータルの衣類乾燥時間が長くなってしまう。
【０００７】
第２に、衣類乾燥中に、ダンパーを切り換えて浴室内の空気の排気を行った場合、ガラリ等の開口部から空気が侵入するため、冬場においては冷気が侵入し、浴室内温度が下がり、衣類乾燥時間が長くなるという問題がある。
【０００８】
第３に、一般的にバス乾燥機を用いて衣類乾燥を行う場合には、浴室内の空気を吸い込んで再度浴室内に吹き出す循環タイプと、浴室外の空気を浴室内に送風する換気タイプと、両者を併用するタイプとがある。
【０００９】
更に、衣類乾燥中に浴室内に空気を供給すると、浴室内の空気がガラリから脱衣場に流入し、冬場では脱衣場に結露が発生し、カビ、木材の腐朽の原因となるという問題もある。
【００１０】
本願は、このような問題に着目してなされたものであり、衣類乾燥時間をより短くすることを課題とする。
【課題を解決するための手段】
【００１１】
上記課題を解決するために、本願の第１の浴室用空調装置は、浴室内の空気を浴室外に排出する排気機能と、浴室内の空気を再度浴室内に循環させる循環機能とを有し、前記排気機能と前記循環機能を用いて浴室若しくは衣類等の乾燥を行う浴室用空調装置であって、前記乾燥を行う際に所定の条件において、前記排気機能のみを動作させることを特徴とする。
本願の第２の浴室用空調装置は、浴室外から浴室内に空気を送る給気機能と、浴室内の空気を吸い込んで前記給気と合流させて再度浴室内に循環させる循環機能と、浴室内の空気を浴室外に排出する排気機能とを備えた浴室用空調装置であって、前記排気機能と前記循環機能を用いて浴室若しくは衣類等の乾燥を行う際に、所定の条件において、前記排気機能を作用状態とすると共に前記循環機能を非作用状態とすることを特徴とする。
【００１２】
本願の第３の浴室用空調装置は、浴室外から浴室内に空気を送る給気機能と、浴室内の空気を吸い込んで前記給気と合流させて再度浴室内に循環させる循環機能と、浴室内の空気を浴室外に排出する排気機能とを備えた浴室用空調装置であって、前記給気機能により浴室外の空気を浴室内に送風する給気用の風路内に空気を暖める加熱手段を設け、前記排気機能と前記循環機能を用いて浴室若しくは衣類等の乾燥を行う際に、所定の条件において、前記加熱手段の加熱温度を、前記所定の条件が成立していないときの加熱温度より、高めることを特徴とする。
【００１３】
本願の第４の浴室用空調装置は、
浴室外から浴室内に空気を送る給気機能と、浴室内の空気を吸い込んで前記給気と合流させて再度浴室内に循環させる循環機能と、浴室内の空気を浴室外に排出する排気機能とを備えた浴室用空調装置であって、前記給気機能により浴室外の空気を浴室内に送風する給気用の風路内に空気を暖める加熱手段を設け、前記排気機能と前記循環機能を用いて浴室若しくは衣類等の乾燥を行う際に、所定の条件において、前記排気機能を動作させる一方、前記循環機能を非作用状態とし、前記所定の条件以外の時に、前記加熱手段の加熱温度を、前記所定の条件が成立しているときの加熱温度より、高めることを特徴とする。
【００１４】
本願の第５の浴室用空調装置は、前記第２乃至第４の何れかの浴室用空調装置であって、前記給気機能による給気風量と前記排気機能による排気風量とを略同量としたことを特徴とする。
【００１５】
本願の第６の浴室用空調装置は、前記第２乃至第５の何れかの浴室用空調装置であって、前記循環機能を構成する循環風路に、循環風量を調整可能に該循環風路を開閉する開閉手段を設けたことを特徴とする。
【００１６】
本願の第７の浴室用空調装置は、浴室外から浴室内に空気を送る給気機能と、浴室内の空気を吸い込んで前記給気と合流させて再度浴室内に循環させる循環機能と、浴室内の空気を浴室外に排出する排気機能とを備えた浴室用空調装置であって、
前記浴室若しくは衣類等の乾燥を行う際に、前記給気機能による給気風量と前記排気機能による排気風量とを略同量としたことを特徴とする。
【００１７】
本願の第８の浴室用空調装置は、浴室外から浴室内に空気を送る給気機能と、浴室内の空気を吸い込んで前記給気と合流させて再度浴室内に循環させる循環機能と、浴室内の空気を浴室外に排出する排気機能とを備えた浴室用空調装置であって、前記循環機能を構成する循環風路に、循環風量を調整可能に該循環風路を開閉する開閉手段を設けたことを特徴とする。
【発明の効果】
【００１８】
本願の第１の浴室用空調装置によれば、乾燥を行う場合であって、浴室内の条件が所定の条件を満たしたときに、浴室内の排気風量を増大させるので、浴室内に衣類が干されたり、浴室内に結露等が発生しているときに、浴室内の湿った空気が排出されるので、乾燥時間を短縮できると共に、乾燥効率を高めることができる。
【００１９】
上記の所定の条件としては、（１）乾燥開始から一定の時間経過までという条件、（２）浴室の湿度が設定値以上であるという条件、（３）浴室内湿度が一定値以上の高湿度状態であり且つ高湿度状態が一定時間継続する条件、等がある。
【００２０】
第２の浴室用空調装置によれば、浴室外から浴室内に空気を送風する給気機能と、浴室内の空気を再度浴室内に循環させる循環機能と、浴室内の空気を浴室外に送風する排気機能とを有し、循環と排気を行って乾燥を行う場合に、浴室内の湿った空気を排出すると共に、給気をも行って乾燥を行うことができるので、通常時は、浴室内の高い湿度の空気を積極的に排出し、浴室内部よりも低い湿度の空気を浴室内の導入することにより、乾燥を促進できる。更に、このような乾燥の際の所定条件下において（例えば、乾燥開始から所定時間若しくは所定値以上の高湿度状態において）、所定条件以外のときよりも排気風量を増大させることにより、乾燥効率が向上する。
【００２１】
第３の浴室用空調装置によれば、乾燥を行う際に浴室内が所定の条件（例えば、乾燥開始から所定時間経過後、或いは、乾燥後期、若しくは、浴室内の湿度が一定値以下の場合、）に該当するときに、加熱手段の加熱温度を高めるので、浴室内がより早く乾燥することとなる。
【００２２】
第４の浴室用空調装置によれば、所定条件下（例えば、乾燥運転開始から一定時間経過まで、或いは浴室内の湿度が設定値以上であり、高湿度状態である場合、又は浴室内の湿度が設定値以上であり、高湿度で且つ高湿度状態が一定時間以上継続する場合など）では浴室内の湿った空気を積極的に排出することにより、浴室内に衣類が干されたり、浴室内に結露等が発生しているときに、浴室内の湿った空気が積極的に排出される。更に、所定の条件以外の時（乾燥開始から所定時間経過後、或いは乾燥後期、若しくは浴室の湿度が一定以下の場合）は、湿度は先の所定条件下で下がった状態にあるので、その状態で加熱手段により加熱温度を高めて浴室内を暖めて乾燥運転を行うことにより、乾燥時間を短縮できると共に、乾燥効率を高めることができる。
【００２３】
第５、第７の浴室用空調装置によれば、給気風量と排気風量とを略同一（同一を含む）にすることにより、浴室内の気圧が上昇・下降せず、浴室の空気が例えば隣の脱衣場に入り込んで脱衣場の湿度が上がることが防止される。
【００２４】
第６、第８の浴室用空調装置によれば、開閉手段の開閉調整により、循環風量を容易に調節できる。
【００２５】
すなわち、給気風量と排気風量とが不一致の場合は気圧差が生じ、気圧の高い方から低い方に空気が流れるために、浴室の湿った空気が隣室（特に脱衣場）に流れ込んだり、隣室の冷たい空気が浴室内に入り込んで浴室内の空気を押し上げ、浴室内の空気が高温層と低温層に分かれて暖かい空気が浴室内に行き渡らないが、第７の浴室空調装置によれば、給気風量と排気風量が等しくされることによって、浴室と隣室の気圧差が生じないこととなり、外気を導入する場合に天井から床面まで（或いは近傍）まで外気を導くことができ、暖房時や乾燥時等のヒーター等で加熱する場合に効率を上げることができる。
【発明を実施するための最良の形態】
【００２６】
以下、本発明の実施の形態にかかる浴室用空調装置を図面に基づいて説明する。図１は、実施例の浴室用空調装置としての浴室乾燥装置２１の主要構成を平面的に示したものである。この浴室乾燥装置２１は、筐体となる本体ケース２２の内部に、排気風路２３と、給気風路２４と、循環風路２５とを備える。
【００２７】
本体ケース２２には、排気風路２３の室内空気吸込口２６と排気口２７とが開口されていると共に、給気風路２４の外気吸込口２８と、室内吹出口２９、及び循環風路２５の室内空気吸込口３０が開口されている。
【００２８】
排気風路２３は、本体ケース２２の室内空気吸込口２６から浴室内空気を取り入れて、排気口２７から図示しないダクトを介して建物の外側に、取り入れた浴室内空気を排出する排気機能を実現する。
【００２９】
給気風路２４は、本体ケース２２の外気吸込口２８から図示しないダクトを経由して建物の外側の空気を取り入れ、取り入れた空気を室内吹出口２９から浴室内に供給する給気機能を実現する。
【００３０】
循環風路２５は給気風路２４に接続されており、循環風路２５と給気風路２４との接続部近傍には、開閉手段として開閉及び開度調整可能なダンパー３１が設けられている。ダンパー３１は循環風路２５の内壁に設けられたストッパー３２によって回動が停止され、循環風路２５を開いたり閉鎖したりできるようになっており、循環機能を実現する。ダンパー３１は本体ケース２２に設けられた図示しないダンパー駆動モーターによって循環風路２５を開放したり、閉鎖するようになっている（矢印Ａ参照）。
【００３１】
排気風路２３と給気風路２４は、排気口２７及び外気吸込口２８との近傍において交差しており、この交差する部分に熱交換素子３３が設けられている。熱交換素子３３は排気風路２３において無理なく空気を通す排気通路と、外気給気風路２４において外気を無理なく通す導入通路とが形成されており、排気通路を通る室内空気と導入通路を通る外気との間で熱交換（いわゆる全熱交換）が行われるようになっている。
【００３２】
排気風路２３の室内空気吸込口２６の近傍にはファンケース３４が設けられており、ファンケース３４の空気吸込口３５の奥にシロッコファンからなる送風ファン３６が設けられている。送風ファン３６はファンモーター３７の回転軸に固定されており、室内空気吸込口２６及びファンケース３４の空気吸込口３５から、浴室内の空気を吸い込んで熱交換素子３３を通して排気口２７に送風し、排気口２７に接続される図示しないダクトを経由して建物の外側に排気される。
【００３３】
給気風路２４と循環風路２５との連通部分の下流側には、ファンケース３８が取り付けられており、ファンケース３８の空気吸込口３９の奥に、シロッコファンからなる送風ファン４０が設けられている。送風ファン４０はファンモーター４１の回転軸に固定されており、ファンケース３８の空気吸込口３９から、浴室内からの循環空気と熱交換素子３３を通過した外気とを導入可能になっている。
【００３４】
送風ファン４０の下流側には、暖房用のヒーター４２が配設されており、循環空気或いは外気を暖めて、衣類を乾燥できるようになっている。
【００３５】
送風ファン３６のファンモーター３７、送風ファン４０のファンモーター４１、ダンパー駆動モータは、直流又は交流モーターであり、家庭用の交流電源から交流電流を供給されて回転する。ヒーター４２は家庭用の交流電源から交流電流を供給されて発熱する。これらのファンモーター３７、ファンモーター４１、ダンパー駆動モータ、ヒーター４２は、リレーＲ１〜Ｒ５を介して電灯線に接続され、本体ケース２２に設けられたマイクロコンピュータ４３からの命令信号により、選択されたリレーＲ１〜Ｒ５がオンオフし、駆動される。
【００３６】
コントローラ４４は、メインスイッチ、換気、乾燥、涼風、暖房の各運転モードボタン、ＬＣＤ表示器等（図示せず）を供えている。
【００３７】
マイクロコンピュータ４３は、浴室の外側の出入口近傍の壁部等に設置されるコントローラ４４からの命令の出力情報に基づいて、ファンモーター３７、４１、ダンパー駆動モータ、ヒーター４２の各リレーＲ１〜Ｒ５を駆動する。
【００３８】
マイクロコンピュータ４３は、マイクロコンピュータ４３が備えるタイマー機能を利用した乾燥用プログラムを有する。乾燥用プログラムでは、乾燥ボタンがオンになって乾燥モードに入ったときに、所定時間（例えば、数１０分〜９０分）ダンパー駆動モータを駆動して循環風路２５を閉じる。この乾燥用プログラムにおいては、所定の条件として乾燥ボタンがオンされてから所定時間経過までダンパ３１で循環風路２５を閉鎖し、排気風路２３の排気風量を増大する排気作用状態・循環非作用状態となる。すなわち、循環する空気の風量を排気風路２３に通すことによって、循環風量と排気風量とで表されるトータルな風量は変わらないが、循環風量が減少する分量だけ室外に排出される排気量が増大したことになる。
【００３９】
次に、このマイクロコンピュータ４３によってそれぞれのリレーＲ１〜Ｒ５を駆動する動作を説明する。
【００４０】
コントローラ４４の換気モードボタンを押すと換気モードとなる。換気モードでは、ファンモーター３７，４１が回転し、送風ファン３６，４０が等しい送風量となるように回転する。この時、ダンパー駆動モータは停止しており、ダンパー３１の自由端部はストッパー３２に当たって循環風路２５を閉鎖している。
【００４１】
コントローラ４４の乾燥ボタンを押すと、乾燥モードとなり、マイクロコンピュータ４３はダンパー３１で循環風路２５を所定時間閉じているようにダンパー駆動モータを制御する。図９は横軸に時間経過を示し、縦軸に乾燥率（パーセント）を示したグラフである。図９に示すように、乾燥モードに入ってから（時刻０）時刻Ｔ１（時刻０分から９０分）の経過までダンパー３１で循環風路２５を閉じている循環機能非作用状態となる。尚、循環機能非作用状態とは、循環風路２５を完全に閉じているものではなく、ダンパー３１を閉じ方向に作用させ、循環風量を減らしている状態を含むものである。
【００４２】
時刻０分から時刻Ｔ１経過まで循環風路２５を遮断することによって、給気風路２４の空気のみが浴室内に送風されると共に、室内空気吸込口２６から浴室内の湿った空気が本体ケース２２内部に吸い込まれ、排気口２７から建物外に排気される。
【００４３】
時刻Ｔ１から時刻Ｔ２（通常１８０分〜２１０分）までダンパー３１を開いて循環風路２５を給気風路２４と連通した場合には、浴室内の空気の大部分は循環風路２５と室内空気吸込口２６のいずれにも吸い込まれ、排気口２７から建物外に排気される。
【００４４】
ここで、循環風路２５の循環する空気の風量をＡ’とし、外気吸込口２８の送風ファン４０の風量をＡとし、排気風路２３の送風ファン３６の風量をＢとする。
【００４５】
循環風路２５を閉じた場合には、給気風路２４の給気風量はＡとなり、排気風量はＢとなる。浴室内の気圧の変動を生じさせないとすると、風量Ａ＝風量Ｂとなる。
【００４６】
循環風路２５を開いた場合には、送風ファン４０の風量Ａは変わらないので、給気風量はＡ−Ａ’となる。また、浴室内の気圧の変動を生じないという条件を維持すると、浴室内から浴室外に排気される排気風量は、循環風量Ａ’を差し引いた風量（Ｂ−Ａ’）となり、風量Ａ＝風量Ｂであるので、給気風量（Ａ−Ａ’）＝排気風量（Ｂ−Ａ’）となる。
【００４７】
すなわち、循環風路２５を閉じた場合の排気風量Ｂは、閉じない場合の排気風量Ｂ−Ａ’より大きいことになる。従って、循環風路２５を閉じると、循環風路２５を閉じない場合より排気風量が増大し、浴室内の空気の排出量が増え、乾燥初期の湿った空気の排出量が増大し、乾燥効率が向上する。
【００４８】
循環風路２５を開いたまま、ヒーター４２をオンさせると、建物外から浴室に入ってくる空気が暖められて湿度の飽和温度が上昇し、乾燥効率が高まる。循環風路２５を開けてヒーター４２をオンさせると、建物外から入ってくる空気のみならず、浴室内で循環する空気が更に暖められるため、温度が更に上昇し、乾燥効率が高まるので、浴室の湿度が乾燥の中期・後期の場合には適している。中期・後期の乾燥モードのとき、ヒーター４２は乾燥用温度になる。
【００４９】
衣類を干した直後のように浴室内が高湿度である場合、浴室全体の空気の温度を十分に上げて除湿するには長時間を要する。従って、乾燥の初期では、低湿度の外気を大量に導入し、高湿度の空気を早急に排出したほうが乾燥には好適である。
【００５０】
すなわち、乾燥運転（乾燥モード）初期（所定の条件成立時）においては、高湿度の浴室内空気の排出量を多くして、浴室内の湿度を下げる。そして、湿度が所定の状態（所定値以下）に下がった状態からは、浴室内の温度を上げるために、ヒータを作動させるか、若しくは、その発熱量を増やす。これによって、乾燥時間が向上し、乾燥効率が向上するものとなる。
【００５１】
この実施の形態では、乾燥運転の後期（前記所定の条件以外の状態）のときは、送風ファン４０を作動させると共に、循環機能を作用状態とし、ダンパー駆動用モータを駆動してダンパー３１により、循環風路２５を開けると共に、ヒータ４２に通電して、乾燥後期の温度とし、その温風を浴室内に吹き出すことにより、浴室内の温度を上昇させ、衣類又は浴室内を乾燥させる。
【００５２】
乾燥モードは暖房モードと同時に行うことが可能となっている。コントローラ４４の暖房ボタンが押されて暖房モードになっているときに、更に乾燥ボタンが押されると、ヒーター４２は暖房用温度となる。また、乾燥ボタンが押されて乾燥モードになっているときに、暖房ボタンが押されると、ヒーター４２は暖房用温度に変わる。尚、乾燥用のヒータ温度と暖房用ヒータ温度は同じであっても良い。
【００５３】
コントローラ４４の涼風ボタンを押すと、涼風モードとなり、循環風路２５を閉鎖するように、ダンパー駆動モータがダンパー３１を駆動し、ダンパー３１が循環風路２５を閉鎖する。
【００５４】
コントローラ４４の暖房ボタンを押して暖房モードとなったときに、ヒーター４２の温度は暖房用温度となる。
【００５５】
以上説明したように、この実施の形態では、この浴室用空調用装置としての浴室乾燥装置２１は、浴室外から浴室内に空気を送る給気風路２４と、浴室内から浴室外に空気を排気する排気風路２３と、給気風路２４に配置される給気用の送風ファン４０及びファンモーター４１と、排気風路２３に配置される排気用の送風ファン３６及びファンモーター３７と、送風ファン３６，４０及びファンモーター３７，４１を制御するマイクロコンピュータ４３（送風制御手段）とを備えている。
【００５６】
また、浴室乾燥装置２１は、浴室内の空気を吸い込む循環用の吸込口３０と給気風路２４とを接続する循環風路２５と、循環風路２５を開閉する開閉手段としてのダンパー３１を備えている。
【００５７】
送風制御手段としてのマイクロコンピュータ４３は、所定条件として、マイクロコンピュータ４３が乾燥ボタンのオンから所定の時間（９０分）を検知するまで、ダンパー３１で循環風路２５を閉鎖することによって、循環風路２５を開放するときよりも、排気風路２３から排気する排気風量を増大する。
【００５８】
換言すれば、マイクロコンピュータ４３は、排気作用且つ循環非作用状態（排気作用・循環非作用モード）のときに、ダンパー３１により循環風路２５を閉鎖して浴室内から排気する空気の排気量を増大する一方、排気作用状態（循環作用モード）のときに、循環風路２５を開放して、給気風路２４からの浴室外空気の給気と循環風路４の循環空気とを、浴室内に送風する。
【００５９】
この浴室乾燥装置２１によれば、乾燥ボタンを押してから所定時間経過までは、排気作用・循環非作用モードとなって、浴室内の排気風量を増大するので、浴室内に衣類を干したり、浴室内に結露等があるときに、浴室内の高湿度の空気を排気すると共に、衣類や浴室壁面等に強い風が当たることとなり、水分を速やかに排除できる。
【００６０】
すなわち、図８に示すグラフを用いれば、乾燥初期状態において、図８の点線に示すように、ピーク部分を低くしかも短くすることができ、衣類乾燥時間をより短くすることができる。図９に示すグラフを用いれば、乾燥初期状態Ｔ１までは、排気風量を増大する。中期・後期の状態（Ｔ１〜Ｔ２）では、ヒータの発熱量を増大（０から通電する場合を含む）して浴室空気の排出量を少なくして浴室内に温風を循環させて乾燥運転を行う。これにより、乾燥目標とする湿度９７％を早期に実現でき、全体としての衣類乾燥時間をより短くすることができる。
【００６１】
又、図１の排気作用・循環非作用モードにおいて送風ファン３６，４０の各送風量を同量に保持することによって、浴室内においての空気圧の上昇・下降が無くなる。このため、隣接する脱衣場との気圧差が生じず、脱衣場から冷たい空気が浴室内に入り込んだり、脱衣場に湿った空気が排出することが防止される。給気風量と排気風量とを同量に保つことは、排気作用・循環非作用モード以外のときでも実行可能である。
【００６２】
図２の循環作用モードにおいては、室内空気吸込口２６及び排気口２７からの排気風量と、外気吸込口２８からの外気給気風量が略同量となっている。従って、図１の排気作用・循環非作用モードと外気吸込口２８からの風量を同じとすると、送風ファン４０の風量を少なくでき、送風ファン４０及びモータ４１を大容量にする必要がなくなる。
【００６３】
更に、給気風路２４には、加熱手段としてのヒーター４２が備えられており、ヒーター４２は加熱制御手段としてのマイクロコンピュータ４３により制御され、マイクロコンピュータ４３（加熱制御手段）は、所定の条件である高湿度状態にあるときに、ヒーター４２に通電して浴室内に送る空気を加熱するので、乾燥効率が向上する。
【００６４】
又、熱交換素子３３により、給気風路２４と排気風路２３とをそれぞれ通る空気の間で熱交換を行うので、冷たい外気を排気空気により暖めることができ、これによっても乾燥効率を高めることができる。
【００６５】
開閉手段は、マイクロコンピュータ４３により制御されるダンパー駆動モーターにより駆動されるダンパー３１により構成されているが、絞り装置のようなシャッターで構成されていても良い。
【００６６】
なお、室内吹出口２９から浴室内に送風する空気の風向きを水平方向若しくは上下方向の少なくともいずれかに変更可能な風向き変更手段（送風案内用のフィン或いはガイド板、送風筒体等）を設けても良い。
【００６７】
その場合、排気作用・循環非作用モードにおいて、風向き変更手段（送風案内用のフィン或いはガイド板、送風筒体等）を室内吹出口２９の近傍（例えばフロントパネル等）に水平方向或いは上下方向に回動可能に支持し、モーター等により送風方向を自動的に変更する変更機能を備えてもよい。
【００６８】
又、浴室内の湿度を検知する湿度検知手段としての湿度センサ４５を備え、所定の条件は浴室内の湿度が所定の湿度の以上の高湿度状態であることとされ、湿度センサ４５が高湿度を検知したときに、排気作用・循環非作用モードを実行するように、マイクロコンピュータ４３が制御するので、ユーザーは手間がかからず、自動的に効率的乾燥を行える。
【００６９】
尚、所定条件としては、湿度センサ４５が所定の条件である高湿度状態を検知したときとしても良い。この場合、排気風路２３の内壁であって、室内空気吸込口２６の近傍に、湿度センサ４５（例えば、セラミック湿度センサ、高分子膜質度センサ、電解質湿度センサ等）を設ける。この湿度センサ４５は検知湿度をデジタル変換するインターフェースを介してマイクロコンピュータ４３に接続されており、湿度センサ４５の検出した湿度情報はマイクロコンピュータ４３に出力される。
【００７０】
マイクロコンピュータ４３は湿度センサ４５の湿度情報を定期的に読んで、検出した湿度が設定値以上になったときに乾燥モードを実行するように乾燥モードプログラムを有するものとする。
【００７１】
図３（ａ）は各モードにおける動作状態を示す。湿度センサ４５の検知結果を用いて乾燥を行う場合、乾燥ボタンがオンされると、乾燥モードになる。乾燥モードは、湿度センサ４５が検知する湿度の高低によって、排気作用・循環非作用モードと循環作用モードの何れかになる。
【００７２】
マイクロコンピュータ４３は湿度センサ４５が検知した湿度が設定値以上（乾燥の初期）であるとき、排気作用・循環非作用モードになり、送風ファン３６は強運転になる。検知した湿度が設定値以下（乾燥モードの中期・後期）であるときに、循環作用モードになる。
【００７３】
排気作用・循環非作用モードになると、ダンパー駆動モータを駆動して、ダンパー３１によって循環風路３１を閉じる。
【００７４】
循環作用モードになると、ダンパー駆動モータを駆動して循環風路３１を開けるように、ダンパー３１を駆動する。循環作用モードにおいて、送風ファン４０のファンモーター４１は強運転のままであるが、送風ファン３６のファンモーター３７は弱又は中運転となる。
【００７５】
尚、送風ファン３６の風量の設定値は幅を持たせたものである。これは、室内空気吸込口２６から室内空気を吸い込んで排気口２７から排出する空気の量と、外気吸込口２８から供給風路２４に供給される空気の量とを、ほぼ同量としているためであり、循環風路３１の風量は供給風路２４の風量によって異なるためである。送風ファン４０の送風量はファンモーター４１の能力により決まっているので、循環風量を増やしつつ、外気供給量と室内空気排出量とをほぼ同じにするためには、外気吸込口２８からの供給風量を少なくし、送風ファン３６の送風量を少なくする。
【００７６】
尚、循環風量を段階的に増やすことも可能である。その場合、循環風量を増加する一方、室内空気吸込口２６から吸い込んで排気する風量を少なくし、外気吸込口２８からの外気供給風量と排気口２７の排気量とをほぼ同量とする。
【００７７】
換気モードにおいては、循環風路のダンパー３１を閉じて、送風ファン４０と送風ファン３７とを同一回転数とすると、送風量も同量になる。そのとき、ヒータ４２の通電は行わない。
【００７８】
暖房モードでは、ダンパー３１を開けて、ヒータ４２により空気を加熱し、吹出口２９から浴室内に吹き出す。その際、ファンモータ３７は停止している。また、外気が室内へ給気されないように外気吸込口２８から供給風路２４の間に図示しないダンパを設けて外気が室内へ供給されないようにしている。
【００７９】
涼風モードが選択されると、ファンモータ３７は弱となり、アンパー３１を開けて。ヒータ４２は通電せずに浴室内に空気を送る。その際も外気は供給され、その供給された空気と同量の空気が排気口２７から排出されている。
【実施例】
【００８０】
図４〜図７の給気用の換気装置５１，５６には給気用ファンＦ１及び給気ファンの下流にヒータＨが設けられ、排気用の換気装置５２には排気用ファンＦ２が設けられている。
【００８１】
換気装置５１，５２，５６はいずれも外気と通じており、給気用の換気装置５１，５６は外気を浴室内へ供給し、排気用の換気装置５２は浴室内空気を屋外へ排出するようになっている。
【００８２】
図４は浴室５０の天井に給気用の換気装置５１と排気用の換気装置５２とを設置したものであり、換気装置５１，５２は図示しないダクトにより建物の外側と通じており、換気装置５１から浴室５０に吸い込まれた空気は浴室５０の床面近傍まで届く風量となっている。換気装置５１には、床面若しくはその近傍まで空気を送風できる風量を供給可能なモーター及びファンが取り付けられている。
【００８３】
これにより、浴室５０の上部と下部との空気が層状化せずに均一な温度分布となり室内を十分に暖房でき、暖房効率や乾燥効率が向上する。換気装置５１，５２は同じコントローラにより制御される。
【００８４】
換気装置５１と換気装置５２は離れて設置されている。このため、換気装置５１から浴室５０内に供給される給気と、換気装置５２から浴室５０の外側に排出される排気とが、浴室５０内を広い範囲で空気の流れを起こすようになっている。
【００８５】
換気装置５１の吹出口と換気装置５２の吸込口が近すぎると吹出口より吹き出した空気が室内へ十分に供給されない内に吸込口より吸い込まれ排出されてしまういわゆるショートサーキット現象を起こしてしまう恐れがある。また、換気装置５２が排気を行い、換気装置５１からの給気量より、換気装置５２の排出量が多いと、浴室５０の天井近傍において暖かい空気が循環して高温層を形成する一方、ガラリから冷たい空気が入ってくると、この高温層と浴室５０の床面側の低温層とに分離してしまう。
【００８６】
このため、床面近傍まで温風が届かなくなることがあるが、換気装置５１と換気装置５２とが離れて設置されており、換気装置５１の吹出口と換気装置５２の吸込口とが離れていることから、ショートサーキット現象が起きず、換気装置５１の送風量と換気装置５２の排出量が略同一となるように設定し、浴室と脱衣場とで圧力差を生じさせないようにして浴室５０に脱衣場５３から空気が入らないように、又、浴室の空気が脱衣場へ吹き出さないようになっている。また、床面近傍まで温風が届くように送風機とファンモータの仕様が設定されている。
【００８７】
尚、換気装置５１を停止し、換気装置５２のみを働かせて浴室５０の換気を行うことも可能である。更に、換気装置５１，５２を一体に構成しても良い。
【００８８】
このように換気装置５１，５２を設置して、乾燥モード時に換気装置５１，５２を等速度で送風すれば、ガラリ５４を経由して浴室５０内に湿った空気や冷たい空気が入り込まないし、脱衣場５３に湿った空気が入ることも防止できる。
【００８９】
図５は、浴室５０の天井に給気用の換気装置５１を設置し、建物の外に通じる排気口５４Ａから浴室５０の空気を排出するものであり、排気口５４Ａから離れたところに換気装置５１が配置されているので、換気装置５１から供給される空気が浴室５０全体に流れることとなり、衣類５５の乾燥効果が向上する。
【００９０】
図６は、浴室の壁面に給気用の換気装置５６を設置し、浴室天井に排気用の換気装置５２を設置したものであり、浴室５０の床に近い下部側から浴室５０の天井に空気が流れるので、衣類５５の下方から風が当たることとなり、衣類５５が翻りやすく水滴等が振り払われ易いので、乾燥効率が向上する。
【００９１】
図７は、給気用の換気装置５１の近傍に排気用の換気装置５２を設置し、浴室５０の壁面に換気装置５２の吸込口５７を形成し、更に、換気装置５２と吸込口５７とをダクト５８で接続したものであり、換気装置５１からの給気が浴室５０の全体に流れやすく、衣類５５の乾燥効果が向上する。
【００９２】
これら図４乃至図７に示すものにおいても、乾燥動作のときに、換気装置５１，５２の風量を等しくすることで空気が浴室５０内を滞留することなく通過することとなると共に、乾燥初期から所定時間或いは高湿度状態のときに、換気装置５１，５２の送風量を増大させても良いし、給気側の換気装置５１に前述のヒーター４２を設けて乾燥させた空気を供給するようにしても良い。
【００９３】
上述の浴室乾燥装置では、送風ファンやモーターを大型化せずに、乾燥運転時の湿度の変化、或いは、湿度変化を事前に把握することにより得られた動作時間によって循環風量や加熱量を可変として、乾燥運転を安価に且つ効率的に行うことができる。
【００９４】
又、この構造では、暖気と冷気の層状化が防止され、乾燥効率が向上することにより、暖気が上方のみでなく、下方にも行き渡ることとなり、入浴前の予備暖房として利用するときに、従来であれば、浴室床面までは温風が届かないことがあったが、この構造により浴室の床面を暖めることが可能であると共に、浴室内全体を十分に暖めることができ、暖房効率も向上し、入浴者が暖かく入浴できる。
【００９５】
又、他の実施例として、図３（ｂ）に示すように、乾燥モードにおいて、常にダンパー３１を閉じて、循環風路を閉鎖して、換気作用・非循環モードとする。これにより、浴室内の湿った空気を排気しながら、外気吸込口２８から供給される空気をヒータ４２で暖めて、浴室内へ吹出口２９から吹き出すようにしている。換気モード、涼風モード、暖房モードについては先に示したとおりであるため省略する。
【００９６】
尚、上記実施例では、熱交換素子３３を設けたが、熱交換素子３３を設置しない構成であっても良い。
【産業上の利用可能性】
【００９７】
以上説明した浴室用空調装置は、浴室に設置される浴室乾燥装置について説明したがこれに限るものではなく、浴室に設置されて空調を行うものにも適用できる。
【図面の簡単な説明】
【００９８】
【図１】本発明の第１の実施の形態にかかる浴室用空調装置としての浴室乾燥装置の模式的平面図であり、循環風路を閉じた状態の給気時の平面図である。
【図２】本発明の第１の実施の形態にかかる浴室用空調装置としての浴室乾燥装置の模式的平面図であり、循環風路を開放した状態の給気時の平面図である。
【図３】（ａ）は図１，２の浴室乾燥装置の各モードにおけるファンモーター及びヒーターの動作状態を示す一覧表であり、（ｂ）は浴室乾燥装置の乾燥モードにおいて、常に循環風路を閉鎖して換気作用・非循環モードとしたファンモーター及びヒーターの動作状態を示す一覧表である。
【図４】第２の実施例にかかる浴室用空調装置の配置形態を説明する模式図である。
【図５】第３の実施例にかかる浴室用空調装置の配置形態を説明する模式図である。
【図６】第４の実施例にかかる浴室用空調装置の配置形態を説明する模式図である。
【図７】第５の実施例にかかる浴室用空調装置の配置形態を説明する模式図である。
【図８】衣類を浴室内に干すときの浴室内の絶対湿度と時間経過を示すグラフである。
【図９】衣類乾燥時間と衣類乾燥率の壮観を示すグラフである。
【図１０】従来のバス乾燥機において、一対の開閉ダンパで連通口を塞いで換気運転を行っている状態を示す図である。
【図１１】従来のバス乾燥機において、一対の開閉ダンパで連通口を開いて排気運転を行っている状態を示す図である。
【符号の説明】
【００９９】
２１  浴室乾燥装置
２２  本体ケース
２３  排気風路
２４  給気風路
２５  循環風路
２８  外気吸込口
２９  室内配風口
３０  室内空気吸込口
３１  ダンパー
３６  送風ファン
３７  ファンモーター
４０  送風ファン
４１  ファンモーター
４２  ヒーター
４３  マイクロコンピュータ
４５  湿度センサ
【図１】
2005164114.tif 000003
【図２】
2005164114.tif 000004
【図３】
2005164114.tif 000005
【図４】
2005164114.tif 000006
【図５】
2005164114.tif 000007
【図６】
2005164114.tif 000008
【図７】
2005164114.tif 000009
【図８】
2005164114.tif 000010
【図９】
2005164114.tif 000011
【図１０】
2005164114.tif 000012
【図１１】
2005164114.tif 000013